(57)【要約】【課題】  ミラーがキャビネットに対して一定の角度でスライドできる洗面化粧台の提供を課題とする。【解決手段】  本発明において、センターミラー７０をミラーキャビネット３０に対してスライド可能に連結するスライドレール４１，４２，４３，４４が備えられる。そして、左右方向に対となるスライドレール４１，４２，４３，４４の移動片４１ａ，４２ａ，４３ａ，４４ａがそれぞれ連結部材４５，４５によって接合することにより、センターミラー７０の左右の動作を同期させることができる。一方、上下方向に対となる移動片４１ａ，４２ａ，４３ａ，４４ａがラック４１ａ２，４３ａ２とピニオン５１，５２と剛性シャフト５０とによって接続することにより、センターミラー７０の上下の動作を同期させることができる。これにより、センターミラー７０を一定の角度でスライドさせることができる。【選択図】  図３
2006204533.tif 000002
【特許請求の範囲】
【請求項１】
略板状のミラーがキャビネットにて支持される洗面化粧台において、
上記キャビネットに固定された固定片と、上記ミラーに固定され同固定片に対してスライド可能に保持される移動片とからなる複数のスライダーと、
上記ミラーの左右両端にそれぞれ備えられた上記スライダーの各移動片の移動を同期させる第一の同期機構と、
上記ミラーの上下両端にそれぞれ備えられた上記スライダーの各移動片の移動を同期させる第二の同期機構とを具備することを特徴とする洗面化粧台。
【請求項２】
上記第一の同期機構または上記第二の同期機構は、
複数の上記移動片を相互に剛性接合する連結部材を具備することを特徴とする請求項１に記載の洗面化粧台。
【請求項３】
上記第一の同期機構または上記第二の同期機構は、
上記移動片に設けられ、同移動片の移動方向に並ぶ複数の歯によって構成されるラックと、
上記キャビネットに回動可能に保持された剛性シャフトと、
上記剛性シャフトを回動軸として接合され、それぞれが異なる上記移動片に備えられた上記ラックと噛合する一対のピニオンとを具備することを特徴とする請求項１または請求項２のいずれかに記載の洗面化粧台。
【請求項４】
上記第一の同期機構または上記第二の同期機構は、
スプロケットによって連動させられるとともに、複数の上記移動片に接続された複数のチェーンを具備することを特徴とする請求項１から請求項３のいずれかに記載の洗面化粧台。
【請求項５】
複数の上記スプロケットの回動軸が剛性シャフトによって接続されることを特徴とする請求項４に記載の洗面化粧台。
【発明の詳細な説明】
【技術分野】
【０００１】
本発明は、略板状のミラーがキャビネットにて支持される洗面化粧台に関する。
【背景技術】
【０００２】
従来、この種の洗面化粧台として、ミラーの左右両端に、のこ歯部が延設されたリンク片を接合するとともに、双方ののこ歯部に噛合する歯車を設けたものが知られている（例えば、特許文献１の図７，８、参照。）。
かかる構成によれば、歯車に回動によって双方ののこ歯部を連動させることができ、同のこ歯部が延設されたリンク片の動作を同期させることができる。従って、ミラーがキャビネットに対してスライドする際の左右両端の移動量を一致させることができるため、ミラーを左右に傾けることなく手前にスライドさせることが可能であった。
【特許文献１】特開２００４−７３３６１号公報
【発明の開示】
【発明が解決しようとする課題】
【０００３】
しかしながら、ミラーの左右が同期してスライドしても、ミラーの上下が同期して移動しないため、ミラーを上下に傾けることなくスライドさせることができないという課題があった。
また、のこ歯部を左右に移動させるための台車を介してミラーがキャビネットに支持されるため、重いミラーを支持することが困難であった。なお、ミラーの上下両端にのこ歯部が延設されたリンク片を接合することによって、上下の傾きを防止することも考えられる。しかし、この場合、ミラーのスライドに伴う台車の移動方向がミラー等の重力が作用する上下方向と一致するため、台車の動作が不安定となる問題もあった。
本発明は、上記課題にかんがみてなされたもので、ミラーがキャビネットに対して一定の角度でスライドできる洗面化粧台の提供を目的とする。
【課題を解決するための手段】
【０００４】
上記目的を達成するため、請求項１にかかる発明では、略板状のミラーがキャビネットにて支持される洗面化粧台において、
上記キャビネットに固定された固定片と、上記ミラーに固定され同固定片に対してスライド可能に保持される移動片とからなる複数のスライダーと、上記ミラーの左右両端にそれぞれ備えられた上記スライダーの各移動片の移動を同期させる第一の同期機構と、上記ミラーの上下両端にそれぞれ備えられた上記スライダーの各移動片の移動を同期させる第二の同期機構とを具備する構成としてある。
【０００５】
上記のように構成した請求項１の発明において、略板状のミラーがキャビネットにて支持され、ミラーとキャビネットとが複数のスライダーによって連結される。上記スライダーは上記キャビネットに固定された固定片と上記ミラーに固定され同固定側レールにてスライド可能に保持される移動片とから構成されるため、同固定片と同移動片とが相対移動することにより上記ミラーを上記キャビネットに対してスライドさせることができる。
【０００６】
さらに、第一の同期機構を設けることにより、上記ミラーの左右両端にそれぞれ備えられた上記スライダーの各移動片の移動を同期させることができる。従って、上記ミラーを左右に傾けることなく上記キャビネットに対してスライドさせることができる。一方、第二の同期機構を設けることにより、上記ミラーの上下両端にそれぞれ備えられた上記スライダーの各移動片の移動を同期させることができる。従って、上記ミラーを上下に傾けることなく上記キャビネットに対してスライドさせることができる。すなわち、上記ミラーを上下左右に傾けることなくスライドさせることができる。
【０００７】
また、第一の同期機構と第二の同期機構の好適な一例として、請求項２にかかる発明では、上記第一の同期機構または上記第二の同期機構は、複数の上記移動片を相互に剛性接合する連結部材を具備する構成としてある。
上記のように構成した請求項２の発明において、複数の上記移動片を連結部材によって相互に剛性接合することにより、同接合された上記移動片の移動を同期させることができる。
【０００８】
さらに、第一の同期機構と第二の同期機構の好適な一例として、請求項３にかかる発明では、上記第一の同期機構または上記第二の同期機構は、上記移動片に設けられ、同移動片の移動方向に並ぶ複数の歯によって構成されるラックと、上記キャビネットに回動可能に保持された剛性シャフトと、上記剛性シャフトを回動軸として接合され、それぞれが異なる上記移動片に備えられた上記ラックと噛合する一対のピニオンとを具備する構成としてある。
【０００９】
上記のように構成した請求項３の発明において、上記第一の同期機構または上記第二の同期機構がラックと剛性シャフトとピニオンとから構成される。上記移動片に設けられる上記ラックは、同移動片の移動方向に並ぶ複数の歯によって構成される。上記剛性シャフトは、上記キャビネットに回動可能に保持されるとともに、一対の上記ピニオンの回動軸を構成する。そして、一対の上記ピニオンは、それぞれ異なる上記移動片に備えられた上記ラックと噛合する。かかる構成により、上記剛性シャフトの回動に応じて一対の上記ピニオンが回動することとなり、同ピニオンと噛合する上記ラックを備える上記移動片も同上記剛性シャフトの回動に応じて移動させることができる。上記剛性シャフトによって一対の上記ピニオンの回動量が一致するため、一対の上記ピニオンと噛合する一対の上記移動片のを同期させるすることができる。また、上記剛性シャフトは上記キャビネットの一定位置にて回動させることができるため、同剛性シャフトが移動するためのスペースを確保しておく必要がない。
【００１０】
さらに、第一の同期機構と第二の同期機構の好適な一例として、請求項４にかかる発明では、上記第一の同期機構または上記第二の同期機構は、スプロケットによって連動させられるとともに、複数の上記移動片に接続された複数のチェーンを具備する構成としてある。
【００１１】
上記のように構成した請求項４の発明において、複数のチェーンが複数の上記移動片に接続され、それぞれがスプロケットによって連動させられる。すなわち、上記スプロケットの回動に応じて、複数の上記チェーンを連動させることができ、同チェーンに接続する複数の上記移動片も連動させることができる。
【００１２】
さらに、従動スプロケットの好適な一例として、請求項５にかかる発明では、複数の上記従動スプロケットの回動軸が剛性シャフトによって接続される構成としてある。
上記のように構成した請求項５の発明において、上記従動スプロケットが複数備えられ、これらの回動軸が剛性シャフトによって接続される。すなわち、複数の上記従動スプロケットの回動量を一致させることができ、各従動スプロケットに噛合した複数の上記チェーンの移動量も一致させることができる。従って、各チェーンが接続する上記移動片の移動を同期させることができる。
【発明の効果】
【００１３】
以上説明したように、請求項１にかかる発明によれば、ミラーがキャビネットに対して一定の角度でスライドできる洗面化粧台を提供することができる。
請求項２にかかる発明によれば、簡易な構成でミラーを一定の角度でスライドさせることができる。
請求項３にかかる発明によれば、第一の同期機構または第二の同期機構がキャビネットにて占有するスペースを小さくすることができる。
請求項４にかかる発明によれば、スプロケットとチェーンとの組合せといった簡易な構成により同期機構を形成することができる。
請求項５にかかる発明によれば、多数の移動片の移動量を揃えることができる。
【発明を実施するための最良の形態】
【００１４】
ここでは、下記の順序に従って本発明の実施形態について説明する。
（１）第一の実施形態：
（２）第二の実施形態：
（３）第三の実施形態：
（４）まとめ：
【００１５】
（１）第一の実施形態：
図１は、第一の実施形態にかかる洗面化粧台を斜めから見て示している。同図において、洗面化粧台１０は概略ベースキャビネット１１とミラーキャビネット３０とにより構成されている。ベースキャビネット１１は底面にて接地し、上面のカウンターには、洗面ボウル１２が設けられている。ベースキャビネット１１の上面における洗面ボウル１２の奥方には、水栓１３が備えられ、水や湯を供給することが可能となっている。
【００１６】
水栓１３の奥にはミラーキャビネット３０が鉛直に立設されている。ミラーキャビネット３０の前面には、左から順に左サイドミラー６０とセンターミラー７０と右サイドミラー８０とが鉛直に正立させて保持されている。左サイドミラー６０とセンターミラー７０と右サイドミラー８０は炬形板状に形成されており、それぞれ上端面と下端面が水平に配向しつつ、左右の端面は鉛直に配向している。左サイドミラー６０、センターミラー７０および右サイドミラー８０は、幅方向に隣接して保持されており、前面側の奥行き方向の位置は全て一致させられているため、全体として同一平面状の鏡面を形成している。
【００１７】
左サイドミラー６０と右サイドミラー８０は、ミラーキャビネット３０に対して回動可能に連結されている。ミラーキャビネット３０における左サイドミラー６０と右サイドミラー８０の裏側には収納スペースが形成されている。そして、左サイドミラー６０と右サイドミラー８０をミラーキャビネット３０から離反するように回動させることにより、上記収納スペースを前方に開放することができる。一方、ミラーキャビネット３０におけるセンターミラー７０の裏側にも収納スペースが設けられている。
【００１８】
図２は、ミラーキャビネット３０から取り外した状態のセンターミラー７０を斜め後ろから見て示している。同図において、センターミラー７０は、略矩形状のガラスミラー７１と略矩形枠状の保持枠７２とから構成されている。ガラスミラー７１の裏側に略矩形枠状の保持枠７２が取り付けられており、ガラスミラー７１と保持枠７２とは幅方向の一辺に設けられた上下一対の蝶番７３，７３によって連結されている。これにより、破線で示すようにセンターミラー７０を保持枠７２に対して回動させることが可能となっている。保持枠７２の上下左右の四隅において、後述するスライドレールの移動片と接合可能なネジ穴７２ａ，７２ａ，７２ａ，７２ａが貫通している。
【００１９】
図３は、センターミラー７０および保持枠７２が取り外された状態のミラーキャビネット３０を斜めから見て示している。同図において、ミラーキャビネット３０の内部には収納スペース３１が設けられている。収納スペース３１には水平方向の棚板を設置することが可能となっており、所望の高さで収納スペース３１を仕切ることが可能となっている。従って、適切な大きさに仕切られた収納スペース３１に洗面用品等を収納することができる。なお、同図においては棚板が取り外された状態を示している。
【００２０】
収納スペース３１における上下左右の四隅にはそれぞれスライドレール４１，４２，４３，４４が取り付けられている。なお、スライドレール４１，４２，４３，４４は本発明のスライダーに相当する。スライドレール４１，４２，４３，４４は、それぞれミラーキャビネット３０に固定される略樋状の固定片４１ｂ，４２ｂ，４３ｂ，４４ｂと、同固定片４１ｂ，４２ｂ，４３ｂ，４４ｂの内側にセットされ同固定片４１ｂ，４２ｂ，４３ｂ，４４ｂに対してスライド可能な移動片４１ａ，４２ａ，４３ａ，４４ａとから構成されている。スライドレール４１，４２，４３，４４は長さ方向が前後に配向するように取り付けられており、移動片４１ａ，４２ａ，４３ａ，４４ａはそれぞれ前後方向にスライド移動することが可能となっている。
【００２１】
移動片４１ａ，４２ａ，４３ａ，４４ａの前方端部にはそれぞれネジ穴４１ａ１，４２ａ１，４３ａ１，４４ａ１が設けられており、それぞれ保持枠７２のネジ穴７２ａ，７２ａ，７２ａ，７２ａを利用してネジ止めすることが可能となっている。これにより、スライドレール４１，４２，４３，４４を介してセンターミラー７０をミラーキャビネット３０に取り付けることができる。移動片４１ａ，４２ａ，４３ａ，４４ａはそれぞれ前後方向にスライド移動することができるため、同移動片４１ａ，４２ａ，４３ａ，４４ａに接合されたセンターミラー７０を前後にスライドさせることができる。
【００２２】
このようにすることにより、使用者はセンターミラー７０を手前に引き出して、鏡に近い位置にて化粧等を行うことができる。また、収納スペース３１に物を出し入れするときには、ガラスミラー７１が保持枠７２から離反するように、ガラスミラー７１を回動させればよい。ガラスミラー７１が保持枠７２から離反すると、矩形枠状の保持枠７２が前方に露出し、同保持枠７２の内側から収納スペース３１を臨むことができる。かかる構成により、センターミラー７０の使い勝手と、ミラーキャビネット３０の収納性を両立させることができる。
【００２３】
収納スペース３１の左側壁面から内側に向かって上下一対の軸受け３２，３３が突設されており、同軸受け３２，３３には鉛直方向に貫通する軸穴３２ａ，３３ａが設けられている。そして、軸穴３２ａ，３３ａに対して略円柱状の剛性シャフト５０が挿通している。剛性シャフト５０の上下両端には、略円柱状の側面から外側に突出する多数の歯が備えられたピニオン５１，５２が固定されている。剛性シャフト５０はピニオン５１，５２の中央を貫通しており、ピニオン５１，５２は剛性シャフト５０の回動に伴って、同剛性シャフト５０を回動軸として回動することが可能となっている。
【００２４】
また、上方の軸受け３２に対して上方のピニオン５１が自重によって当接することにより、剛性シャフト５０およびピニオン５１，５２が高さ方向に位置決めされている。これにより、剛性シャフト５０およびピニオン５１，５２をミラーキャビネット３０の一定位置にて回動させることができる。さらに、ミラーキャビネット３０の左側に配置されたスライドレール４１，４３の移動片４１ａ，４３ａはそれぞれ上方および下方に向かって矩形状に突出しており、それらの左側壁面において移動片４１ａ，４３ａの長さ方向に複数の歯が配列するラック４１ａ２，４３ａ２が設けられている。そして、ラック４１ａ２，４３ａ２は、ピニオン５１，５２に対して噛合している。一方、ミラーキャビネット３０の右側に配置されたスライドレール４２，４４の移動片４２ａ，４４ａもそれぞれ上方および下方に向かって矩形状に突出している。
【００２５】
図４は、ミラーキャビネット３０の水平断面を示している。同図において、下方のスライドレール４３，４４の移動片４３ａ，４４ａが最も後方まで移動している。このとき、センターミラー７０と左サイドミラー６０と右サイドミラー８０のミラー面が面一となる。それぞれ、上方に向かって突出する左右の移動片４３ａ，４４ａの後方端部を相互に接続する連結部材４５が備えられている。連結部材４５は左右両端にて移動片４３ａ，４４ａと剛性接合されている。
【００２６】
図５は、センターミラー７０を手前に引き出したときのミラーキャビネット３０の水平断面を示している。同図において、スライドレール４３，４４の移動片４３ａ，４４ａが前方にスライド移動することにより、同移動片４３ａ，４４ａに接合されたセンターミラー７０も手前に引き出されている。このようにすることにより、センターミラー７０を手前に引き出して、近い位置にて化粧等を行うことができる。移動片４３ａが移動することによりラック４３ａ２に噛合するピニオン５２が一定の位置にて回動することとなる。
【００２７】
左右の移動片４３ａ，４４ａの後方端部を相互に接続する連結部材４５が備えられるため、センターミラー７０と移動片４３ａ，４４ａと連結部材４５とで矩形状の枠構造を形成することができる。枠構造によれば高い剛性を実現することができ、通常の使用において歪むようなことはない。従って、センターミラー７０と移動片４３ａ，４４ａと連結部材４５の相対位置を一定に保つことができ、移動片４３ａ，４４ａの前後位置を揃えることができる。
【００２８】
すなわち、移動片４３ａ，４４ａがスライド移動する際の移動片４３ａ，４４ａのを同期させることができる。従って、移動片４３ａ，４４ａがスライド移動する際に、移動片４３ａ，４４ａの移動量が不均一となり、移動片４３ａ，４４ａに左右両端が接合するセンターミラー７０が左右に傾くことが防止できる。すなわち、センターミラー７０のミラー面を左右に一定の角度に保ったまま、反射角が左右にぶれることなく引き出すことができ、使い勝手がよくなる。なお、図示しないが、上方のスライドレール４１，４２の移動片４１ａ，４２ａも同様に連結部材によって接合されているため、センターミラー７０の上方部分が左右に傾くことも防止されている。なお、連結部材４５が本発明の第一の同期機構に相当する。
【００２９】
図６は、剛性シャフト５０を正面から見て示している。同図において、剛性シャフト５０は、軸方向を鉛直方向に配向させており、上端および下端に備えられたピニオン５１，５２がラック４１ａ２，４３ａ２にそれぞれ噛合している。剛性シャフト５０は、上下一対の軸受け３２，３３の軸穴３２ａ，３３ａに挿通しており、回動可能に保持されている。図５のように、センターミラー７０を手前に引き出すと、移動片４１ａ，４３ａが前方に移動し、ラック４１ａ２，４３ａ２も前方に移動することとなる。
【００３０】
すると、ラック４１ａ２，４３ａ２に噛合するピニオン５１，５２が回動し、剛性シャフト５０も回動することとなる。ピニオン５１，５２は剛性シャフト５０に固定されており、剛性シャフト５０は金属等の高いねじり剛性を有する素材によって形成されているため、ピニオン５１，５２の回転量は一致する。従って、ピニオン５１，５２が回動する際のラック４１ａ２，４３ａ２の前後移動量も一致させることができる。
【００３１】
すなわち、センターミラー７０をスライドさせる際に、ラック４１ａ２，４３ａ２を備える上下の移動片４１ａ，４３ａの移動量を一致させることができるため、移動片４１ａ，４３ａに上下両端が接合するセンターミラー７０が上下に傾くことが防止できる。すなわち、センターミラー７０のミラー面を上下に一定の角度に保ったまま、反射角が上下にぶれることなくセンターミラー７０を引き出すことができ、使い勝手がよくなる。なお、ラック４１ａ２，４３ａ２とピニオン５１，５２と剛性シャフト５０は本発明の第二の同期機構に相当する。
【００３２】
剛性シャフト５０は、ミラーキャビネット３０における一定の位置にて回動し、前後に移動することはない。従って、剛性シャフト５０の軌道を避けるようなスペースを確保する必要がなく、収納スペース３１を広く使用することができる。なお、連結部材４５はセンターミラー７０のスライドに伴って前後に移動することとなるが、連結部材４５や下方の移動片４３ａ，４４ａよりも高い位置に棚板を取り付けておくことにより、連結部材４５の軌道の上方にも収納物を載置することが可能となる。
【００３３】
以上のように、連結部材４５によってセンターミラー７０の左右のスライドを同期させ、ラック４１ａ２，４３ａ２とピニオン５１，５２と剛性シャフト５０センターミラー７０の上下のスライドを同期させることにより、センターミラー７０を一定角度に維持したままスライドさせることができる。
【００３４】
（２）第二の実施形態：
図７は、第二の実施形態にかかるミラーキャビネット１３０を正面から見て示している。同図において、ミラーキャビネット１３０の上下左右の四隅にスライドレール１４１，１４２，１４３，１４４が取り付けられている。前実施形態と同様に、上方のスライドレール１４１，１４２の移動片１４１ａ，１４２ａが連結部材１４５によって接合されている。下方のスライドレール１４３，１４４の移動片１４３ａ，１４４ａも連結部材１４５によって接合されている。収納スペース１３１の左側側面から内側に向かって上下一対の回動軸１５１ａ，１５２ａが略水平に突設されている。回動軸１５１ａ，１５２ａには、それぞれスプロケット１５１，１５２が回動可能に軸支されている。スプロケット１５１，１５２には、二本のチェーン１５３，１５４が噛合している。
【００３５】
図８は、チェーン１５３，１５４が噛合するスプロケット１５１を斜めから見て示している。同図において、スプロケット１５１には、径方向外側に突出した歯が周方向に配列する二組の噛合部１５１ｂ１，１５１ｂ２が設けられている。そして、噛合部１５１ｂ１，１５１ｂ２のそれぞれに対して二本のチェーン１５３，１５４が噛合している。チェーン１５３はスプロケット１５１の前方から噛合し、チェーン１５４はスプロケット１５１の後方から噛合している。なお、噛合部１５１ｂ１，１５１ｂ２における歯の形成数および形成ピッチは同じとされている。また、上下のスプロケット１５１，１５２は同一の形状とされ、チェーン１５３，１５４も同一の形状とされている。
【００３６】
図９は、チェーン１５３，１５４の設置状態を模式的に説明している。同図においては、ミラーキャビネット１３０が右側から見て示されている。チェーン１５３は、上端が上方のスライドレール１４１の移動片１４１ａの後方端部に接続されており、下端が下方のスライドレール１４３の移動片１４３ａの前方端部に接続されている。そして、チェーン１５３は、上方のスプロケット１５１に前方から噛合し、下方のスプロケット１５２に後方から噛合している。
【００３７】
一方、チェーン１５４は、上端が上方のスライドレール１４１の移動片１４１ａの前方端部に接続されており、下端が下方のスライドレール１４３の移動片１４３ａの後方端部に接続されている。また、チェーン１５４は、上方のスプロケット１５１に後方から噛合し、下方のスプロケット１５２に前方から噛合している。同図の状態において、チェーン１５３，１５４は、たるまないように張られている。なお、図８に示すようにチェーン１５３，１５４は、幅方向に位置をずらして平行に取り付けられているため、両者が干渉することはない。
【００３８】
図１０は、センターミラー１７０を手前に引き出した状態のチェーン１５３，１５４の状態を模式的に説明している。同図において、センターミラー１７０のスライドに伴って上下の移動片１４１ａ，１４３ａが前方に移動している。チェーン１５３，１５４はそれぞれ移動片１４１ａ，１４３ａに接続されているため、センターミラー１７０のスライドに伴って引っ張られることとなる。上方の移動片１４１ａがチェーン１５３の上端を前方に引っ張ることにより、チェーン１５３の下端を前方に引っ張ることができ、同下端が接続する下方の移動片１４３ａも前方に引っ張ることができる。
【００３９】
逆に、下方の移動片１４３ａがチェーン１５４の下端を前方に引っ張ることにより、チェーン１５４の上端を前方に引っ張ることができ、同上端が接続する上方の移動片１４１も前方に引っ張ることができる。これにより、センターミラー１７０を手前に引き出す際に、上下の移動片１４１ａ，１４３ａに同様の動作をさせることができる。一方、センターミラー１７０を後方に押し込む場合も、移動片１４１ａ，１４３ａはチェーン１５３，１５４を介して互いに引っ張り合うため、上下の移動片１４１ａ，１４３ａに同様の動作をさせることができる。
【００４０】
チェーン１５３，１５４は、金属等の延びにくい素材で形成され、たるみなく張られているため、センターミラー１７０がスライド移動する際の移動片１４１ａ，１４３ａのスライド量は一致する。従って、センターミラー１７０を上下方向に傾くことなくスライドさせることができる。なお、前実施形態と同様に上方に配置された左右の移動片１４１ａ，１４２ａが連結部材１４５によって接合され、下方に配置された移動片１４３ａ，１４４ａも連結部材１４５によって接合されているため、センターミラー１７０が左右方向に傾けることなくスライドさせることができる。
【００４１】
以上のように、上下の移動片１４１ａ，１４３ａの間にチェーン１５３，１５４を張ることにより、上下の移動片１４１ａ，１４３ａの動作を同期させることができる。さらに、チェーン１５３，１５４はスプロケット１５１，１５２に対して共通して噛合されている。そのため、チェーン１５３，１５４も同期した動作をすることとなる。例えば、図８に示すスプロケット１５１が矢印Ｒ１の方向に回動したとすると、噛合部１５１ｂ１に対して前方から噛合するチェーン１５３は下方に送り出され、噛合部１５１ｂ２に対して後方から噛合するチェーン１５４は同時に上方に送り出されることとなる。スプロケット１５１は剛体であり、噛合部１５１ｂ１，１５１ｂ２およびチェーン１５３，１５４の仕様が同じであるため、スプロケット１５１の回動によるチェーン１５３，１５４の移動量は一致する。
【００４２】
図９のように、センターミラー１７０を手前にスライドさせたとき、チェーン１５３は上方の移動片１４１ａの移動によって上端が前方に引っ張られるため、上方のスプロケット１５１は紙面反時計回りに回動し、下方のスプロケット１５２は紙面時計回りに回動することとなる。一方、チェーン１５４は下方の移動片１４３ａの移動によって下端が前方に引っ張られるため、上方のスプロケット１５１は紙面反時計回りに回動し、下方のスプロケット１５２は紙面時計回りに回動することとなる。
【００４３】
すなわち、双方のチェーン１５３，１５４によって上方のスプロケット１５１，１５２は同じ方向に回動することとなる。そして、上述したとおりスプロケット１５１，１５２の回動によるチェーン１５３，１５４の送り出し量は一致するため、チェーン１５３，１５４の上下端の移動量も一致し、同上下端が接続する上下の移動片１４３ａ，１４４ａの移動量も一致させることができる。従って、上下の移動片１４３ａ，１４４ａに接合されたセンターミラー１７０を上下に傾かせることなくスライドさせることができる。なお、スプロケット１５１，１５２を軸支する回動軸１５１ａ，１５２ａはミラーキャビネット１３０に固定されているため、スプロケット１５１，１５２が移動することはない。なお、チェーンとしては種々のものを使用することができ、コスト面等においてラダーチェーンが好適である。
【００４４】
（３）第三の実施形態：
図１１は、第三の実施形態にかかるミラーキャビネット２３０を正面から見て示している。同図において、右側のスライドレール２４２，２４４に対してもチェーン２５７，２５８とスプロケット２５５，２５６とが設けられている。本実施形態におけるチェーン２５７，２５８とスプロケット２５５，２５６は配設位置が異なるのみで、前実施形態と同様の構成とされている。このように、チェーン２５３，２５４，２５７，２５８とスプロケット２５１，２５２，２５５，２５６を左右両方に設けることにより、双方において上下の同期が確保されるため、より安定した角度でミラーをスライドさせることができる。
【００４５】
さらに、上方のスプロケット２５１，２５５の回動軸は、共通の剛性シャフト２４５によって形成されている。剛性シャフト２４５とスプロケット２５１，２５５とは相互に回動不可能に接合されているとともに、剛性シャフト２４５がミラーキャビネット２３０に対して回動可能に軸受けされている。すなわち、剛性シャフト２４５とスプロケット２５１，２５５が一体となって回動することが可能となっている。同様に、すなわち、下方のスプロケット２５２，２５６と剛性シャフト２４５と一体となって回動することが可能となっている。
【００４６】
このようにすることにより、上方のスプロケット２５１，２５５と下方のスプロケット２５２，２５６をそれぞれ同様に回動させることができる。従って、チェーン２５３，２５４，２５７，２５８の移動量を全て一致させることができ、全スライドレール２４１，２４２，２４３，２４４を同様にスライドさせることができる。これにより、より安定した角度でミラーをスライドさせることができる。なお、剛性シャフト２４５，２４５が収納スペース２３１を左右に横切ることとなるが、剛性シャフト２４５，２４５に収納物を干渉させないような棚板を配設すればよい。
【００４７】
（４）まとめ：
本発明において、センターミラー７０をミラーキャビネット３０に対してスライド可能に連結するスライドレール４１，４２，４３，４４が備えられる。そして、左右方向に対となるスライドレール４１，４２，４３，４４の移動片４１ａ，４２ａ，４３ａ，４４ａがそれぞれ連結部材４５，４５によって接合することにより、センターミラー７０を左右に傾けることなくスライドさせることができる。一方、上下方向に対となる移動片４１ａ，４２ａ，４３ａ，４４ａがラック４１ａ２，４３ａ２とピニオン５１，５２と剛性シャフト５０とによって接続することにより、センターミラー７０を上下に傾けることなくスライドさせることができる。これにより、センターミラー７０を一定の角度でスライドさせることができる。もちろん、左右方向に対となる移動片４１ａ，４２ａ，４３ａ，４４ａをラック４１ａ２，４３ａ２とピニオン５１，５２と剛性シャフト５０とによって接続し、上下方向に対となる移動片４１ａ，４２ａ，４３ａ，４４ａをそれぞれ連結部材４５，４５によって接合する構成とすることも可能であり、上下及び左右方向に対となる移動片の移動を同期させる手段は上記に記載した同期機構を適宜組合せて構成することが可能である。
【図面の簡単な説明】
【００４８】
【図１】本発明にかかる洗面化粧台の斜視図である。
【図２】センターミラーの後方斜視図である。
【図３】ミラーキャビネットの斜視図である。
【図４】ミラーキャビネットの水平断面図である。
【図５】ミラーキャビネットの水平断面図である。
【図６】第二の同期機構の正面図である。
【図７】第二の実施形態にかかるミラーキャビネットの正面図である。
【図８】スプロケットの斜視図である。
【図９】ミラーキャビネットの内部を側方から見た説明図である。
【図１０】ミラーキャビネットの内部を側方から見た説明図である。
【図１１】第三の実施形態にかかるミラーキャビネットの正面図である。
【符号の説明】
【００４９】
１０…洗面化粧台
１１…ベースキャビネット
１２…洗面ボウル
１３…水栓
３０，１３０，２３０…ミラーキャビネット
３１，１３１，２３１…収納スペース
３２，３３…軸受け
３２ａ，３３ａ…軸穴
４１，４２，４３，４４，１４１，１４２，１４３，１４４，２４１，２４２，２４３，２４４…スライドレール
４１ａ，４２ａ，４３ａ，４４ａ，１４１ａ，１４２ａ，１４３ａ，１４４ａ，２４１ａ，２４２ａ，２４３ａ，２４４ａ…移動片
４１ａ１，４２ａ１，４３ａ１，４４ａ１…ネジ穴
４１ａ２，４３ａ２…ラック
４１ｂ，４２ｂ，４３ｂ，４４ｂ…固定片
４５…連結部材
５０，２４５…剛性シャフト
５１，５２…ピニオン
７０，１７０…センターミラー
７１…ガラスミラー
７２…保持枠
７２ａ…ネジ穴
７３…蝶番
１５１，１５２，２５１，２５２，２５５，２５６…スプロケット
１５１ｂ１，１５１ｂ２…噛合部
１５３，１５４，２５３，２５４，２５７，２５８…チェーン
【図１】
2006204533.tif 000003
【図２】
2006204533.tif 000004
【図３】
2006204533.tif 000005
【図４】
2006204533.tif 000006
【図５】
2006204533.tif 000007
【図６】
2006204533.tif 000008
【図７】
2006204533.tif 000009
【図８】
2006204533.tif 000010
【図９】
2006204533.tif 000011
【図１０】
2006204533.tif 000012
【図１１】
2006204533.tif 000013